(57)【特許請求の範囲】
【請求項１】
上部開口を有する有底の筒状体であるグラス本体と、
映像表示装置を前記グラス本体の側面に固定する固定機構と、
前記グラス本体の側面に位置する平坦面と、
反射鏡と
を備え、
前記グラス本体は透明な材料から成り、
前記反射鏡は前記平坦面で且つ前記グラス本体の外側の面に密着固定されており、
前記平坦面は前記グラス本体の底面に対して傾斜しており、
前記反射鏡は金属から成る層を少なくとも一つは備え、
前記映像表示装置の映像が前記反射鏡により前記上部開口方向に反射することを特徴とする飲料用演出グラス。
【請求項２】
前記グラス本体が柔軟性又は可撓性を備える材料から成り、
前記反射鏡が前記グラス本体の外側の面に張られたフィルムミラーであることを特徴とする請求項１に記載の飲料用演出グラス。
【請求項３】
前記上部開口を塞ぐための蓋を備えることを特徴とする請求項１〜２のいずれか一項に記載の飲料用演出グラス。
【発明の詳細な説明】
【技術分野】
【０００１】  本発明は、飲料用演出グラスに関する。
【背景技術】
【０００２】  飲料を入れる機能以外に様々な機能を持ったグラスが開発されている。
例えば特許文献１には本願発明者が発明した飲料用演出グラスが開示されている。この飲料用演出グラスは、グラス側面に固定された映像表示装置と、グラス本体内部に配置された反射鏡とを備えてりおり、映像表示装置の映像を疑似的にグラス内部に投影する演出が可能なグラスである。
特許文献２には本願発明者が発明した飲料用演出グラスが開示されている。この飲料用演出グラスは、グラス側面に固定された映像表示装置と、グラス本体内部に配置されたビームスプリッターとを備えてりおり、映像表示装置の映像を疑似的にグラス内部に投影する演出が可能なグラスである。
【先行技術文献】
【特許文献】
【０００３】
【特許文献１】特許第６４８８０４９号
【特許文献２】特許第６５２８１６２号
【発明の概要】
【発明が解決しようとする課題】
【０００４】  しかし、上記特許文献１〜２はユーザーがグラス内部の飲料に手を入れること無しにグラス本体の内部の反射鏡の着脱を行う事は出来ないという問題を有する。更に反射鏡がグラス本体の内部に有る構成のため反射鏡が金属の場合には飲料に溶け出した僅かな金属成分が飲料の味を阻害してしまうという問題を有する。【０００５】  本発明は上記問題を鑑み、反射鏡をグラス内部に配置しない構成の飲料用演出グラスを提供することを課題とする。
【課題を解決するための手段】
【０００６】  本発明の飲料用演出グラスは、上部開口を有する有底の筒状体であるグラス本体と、映像表示装置を前記グラス本体の側面に固定する固定機構と、前記グラス本体の側面に位置する平坦面と、反射鏡とを備え、前記グラス本体は透明な材料から成り、前記反射鏡は前記平坦面で且つ前記グラス本体の外側の面に密着固定されており、前記平坦面は前記グラス本体の底面に対して傾斜しており、前記反射鏡は金属から成る層を少なくとも一つは備え、前記映像表示装置の映像が前記反射鏡により前記上部開口方向に反射することを特徴とする。
また、前記グラス本体が柔軟性又は可撓性を備える材料から成り、前記反射鏡が前記グラス本体の外側の面に張られたフィルムミラーであることを特徴とする。
また、前記上部開口を塞ぐための蓋を備えることを特徴とする。
【発明の効果】
【０００７】  本発明の飲料用演出グラスは、反射鏡がグラス本体の外側に面に密着固定されている構成のため、反射鏡着脱時にユーザーが飲料用グラス本体内部の飲料により手が濡れる事は無い。また、反射鏡の僅かな金属成分がグラス内部の飲料に溶け出すことにより飲料の味を阻害してしまうという問題が発生しない。
本発明の飲料用演出グラスは、グラス本体の側面に反射鏡を張り付ける（又は密着させる）ための平坦な平坦面を備えるため、反射鏡を容易にグラスに張り付けられる。
本発明の飲料用演出グラスは反射鏡としてフィルムミラーを備え、グラス本体は可撓性又は柔軟性を有する材料から成る為、ユーザーはグラス本体の任意の位置に平坦面をユーザー自身の手で作成できる。その為、ユーザーはユーザーの好みに応じて任意の位置に反射鏡を張り付けられる。
【図面の簡単な説明】
【０００８】
【図１】第１の実施の形態の飲料用演出グラスを示す斜視図（ａ）及び断面図（ｂ）
【図２】蓋を備える例を示す断面図
【発明を実施するための形態】
【０００９】［飲料用演出グラスの第１の実施の形態］
以下、本発明の飲料用演出グラスの第１の実施の形態を図面を用いて示す。
図１（ａ）に示すように、本実施の形態の飲料用演出グラス１はグラス本体１０と映像表示装置８０を固定するための固定機構１２と平坦面１３と反射鏡２０から概略構成される。
グラス本体１０は上部開口１１を有する有底の筒状体であり、その内部に飲料を充填する事が出来る飲料用容器である。グラス本体１０はガラスやアクリル樹脂等の透明な材料から成る。グラス本体１０の形状としては図１のような通常のコップ型の形状の他に、図２のように上部開口１１を塞ぐための蓋１５を備えるボトル型の形状等が挙げられる。グラス本体１０の形状は取っ手部分を備えるビールジョッキ型でも良い。
固定機構１２はスマートフォンや小型のディスプレイデバイス等の映像表示装置８０をグラス本体１０の側面（又は側面近傍）に固定するための固定機構である。図１の例では固定機構１２としてポケット機構を用いて映像表示装置８０をグラス本体１０の側面に固定している。固定機構１２としてポケット機構以外にマグネット機構やネジ機構を用いても良い。
平坦面１３はグラス本体１０の側面に位置している反射鏡２０を張り付けるための平坦な面である。図１（ｂ）のように平坦面１３はグラス本体１０の底面に対して傾斜している（これは映像表示装置８０の映像８２を平坦面１３に張り付けた反射鏡２０により上部開口１１方向に反射させるための工夫である）。平坦面１３はグラス本体１０の底面が傾斜しているため、ユーザーＵは上部開口１１より映像表示装置８０の映像８２の反射像を視認する事が可能である。なお、平坦面１３とグラス本体１０の理想のなす角Ａは４５度であり、なす角Ａを４５度にする事によってユーザーＵは歪みの少ない映像８２の反射像を上部開口１１より視認出来る。なお図１（ｂ）中の矢印は説明のために映像表示装置８０の映像表示面８１から投影される映像８２の光路Ｗのイメージを表現した物である。
反射鏡２０は映像表示装置８０の映像８２を上部開口１１の方向に反射するために用いられる。反射鏡２０は平坦面１３で且つグラス本体１０の外側の面に張り付けられる（又は密着固定される）。反射鏡２０は金属から成る層を少なくとも一つは備える。反射鏡２０としてはステンレスやアルミを用いた通常の鏡だけでなくステンレス層やアルミ層等を備えたフィルムミラー等が挙げられる。反射鏡２０はグラス本体１０の外側の面に張り付けるので反射鏡２０のグラス本体１０の着脱が容易である。反射鏡２０はグラス本体１０の外側の面に張り付けるので反射鏡２０の金属成分がグラス本体１０の内部の飲料に溶け出す事が無く、更に反射鏡２０が破損した場合もグラス本体１０内部の飲料にその破損した反射鏡２０が混入する危険性が無い。反射鏡２０の平坦面１３への固定方法は接着剤による接着や図１（ｂ）のように反射鏡支持機構２１を用いて反射鏡２０を平坦面１３に密着した状態で固定する方法が考えられる。
【００１０】  反射鏡２０としてフィルムミラーを用いる場合、グラス本体１０が柔軟性又は可撓性を備える材料にすればユーザーＵはユーザーＵ自身の手を以ってグラス本体１０を変形させる事により任意の位置に平坦面１３（つまり映像表示装置８０の映像８２を反射する反射面）を作る事が出来る。
【産業上の利用可能性】
【００１１】  本発明は、反射鏡をグラス内部に配置しない構成の飲料用演出グラスであり、ユーザーは反射鏡着脱時に飲料用グラスの内部の飲料に手を濡らす必要は無い。またユーザーはグラス本体の任意の位置に映像表示装置の映像を反射するための反射面をユーザー自身の手で作り出す事が出来る。以上より本発明は産業上の利用可能性を有する。
【符号の説明】
【００１２】Ｕ  ユーザー
Ａ  なす角
Ｗ  光路
１  飲料用演出グラス
１０  グラス本体
１１  上部開口
１２  固定機構（ポケット機構）
１３  平坦面
１５  蓋
２０  反射鏡
２１  反射鏡支持機構
８０  映像表示装置
８１  映像表示面
８２  映像
【要約】
【課題】  本発明は反射鏡をグラス内部に配置しない構成の飲料用演出グラスを提供することを課題とする。
【解決手段】  本発明の飲料用演出グラスは、上部開口を有する有底の筒状体であるグラス本体と、映像表示装置を前記グラス本体の側面に固定する固定機構と、前記グラス本体の側面に位置する平坦面と、反射鏡とを備え、前記グラス本体は透明な材料から成り、前記反射鏡は前記平坦面で且つ前記グラス本体の外側の面に密着固定されており、前記平坦面は前記グラス本体の底面に対して傾斜しており、前記反射鏡は金属から成る層を少なくとも一つは備え、前記映像表示装置の映像が前記反射鏡により前記上部開口方向に反射することを特徴とする。
【選択図】図１【図１】
0006810499.tif 000002
【図２】
0006810499.tif 000003